(57)【要約】【課題】容易に製造することができるとともに変形しやすいフードインナパネルを提供する。【解決手段】内側傾斜面部３に形成された内側ビード８１と、外側屈曲部７に形成された外側ビード８２と、が内側ビード８１の延在方向に沿って互いに並ぶビード対８０を形成していることで、フロントフード１０に衝撃が加わった際に、ビード対８０を構成する内側ビード８１及び外側ビード８２が同時に変形しやすく、フードインナパネル１を変形させやすくすることができる。このとき、フードインナパネル１を変形容易とするために、ビードを形成するための加工を施せばよく、ビードの数の増加も抑制することができることから、容易に製造することができる。【選択図】図５
2018030484.tif 000002
【特許請求の範囲】
【請求項１】
車両のフロントフードを構成するフードインナパネルであって、
中央部に形成された開口部と、
前記開口部から外側に向かうにしたがって下方に向かって延びる内側傾斜面部と、
前記内側傾斜面部の外側に連続して水平面に沿って延びる水平面部と、
前記水平面部の外側に連続して外側に向かうにしたがって下方に向かって延びる外側傾斜面部と、
前記内側傾斜面部と前記水平面部との間に形成された内側屈曲部と、
前記水平面部と前記外側傾斜面部との間に形成された外側屈曲部と、を有し、
車幅方向の両側において、内側から外側に向かって延びる複数の内側ビードが少なくとも前記内側傾斜面部に形成されるとともに、前記外側屈曲部を横切るように複数の外側ビードが形成され、
前記複数の内側ビードと前記複数の外側ビードとのうちそれぞれ少なくとも一部の組み合わせによって、当該内側ビードの延在方向に沿って互いに並ぶビード対が形成されていることを特徴とするフードインナパネル。
【請求項２】
前記内側ビードは、前記開口部まで延び、
前記内側傾斜面部の内周縁には、前記内側ビードを挟む位置に、当該内側ビードと同一方向に凸となるように傾斜した縁傾斜部が形成されていることを特徴とする請求項１に記載のフードインナパネル。
【請求項３】
前記開口部は、車幅方向を長径とするオーバル形状に形成されるとともに、内側に向かって凸の凸縁部を有することを特徴とする請求項１又は２に記載のフードインナパネル。
【請求項４】
前記開口部は、車幅方向の両側において、他の位置よりも曲率半径の小さい頂点部を有し、
１つの前記内側ビードの延長線上に前記頂点部が位置することを特徴とする請求項３に記載のフードインナパネル。
【請求項５】
前記内側傾斜面部には、多角形状の孔部が形成されていることを特徴とする請求項１〜４のいずれか１項に記載のフードインナパネル。
【発明の詳細な説明】
【技術分野】
【０００１】
本発明は、車両のフロントフードを構成するフードインナパネルに関するものである。
【背景技術】
【０００２】
一般に、車両の性能として、自動車が一定の速度で歩行者に衝突した場合における歩行者の頭部への衝撃として、頭部傷害値が評価される。即ち、車両のフロントフードは、衝撃が加わった際に充分に変形容易であることが求められる。その一方で、フロントフードを構成するフードインナパネルは、パネル全体の変形を抑制したり車体の剛性を確保したりするために、適宜な強度や剛性を有する必要がある。即ち、フードインナパネルは、通常時の強度や剛性を確保しつつ衝突時に変形容易であることが求められる。
【０００３】
そこで、トリム孔と、屈曲部に交差するように延びるビードと、が形成されたフードインナパネルが提案されている（例えば、特許文献１参照）。特許文献１に記載された発明では、トリム孔およびビードを形成することにより、フードインナパネルを変形しやすくしている。
【先行技術文献】
【特許文献】
【０００４】
【特許文献１】特開２０１５−１８２７３８号公報
【発明の概要】
【発明が解決しようとする課題】
【０００５】
しかしながら、フードインナパネルにビードだけでなくトリム孔も形成しようとすると、曲げ加工に加えて打ち抜き加工も施さなくてはならず、必要な加工の種類が増加してしまう。一方、ビードだけでフードインナパネルを充分に変形容易にしようとすると、多くのビードが必要となり、複雑な加工が要求される可能性がある。
【０００６】
本発明の目的は、容易に製造することができるとともに変形しやすいフードインナパネルを提供することにある。
【課題を解決するための手段】
【０００７】
本発明のフードインナパネルは、車両のフロントフードを構成するフードインナパネルであって、中央部に形成された開口部と、前記開口部から外側に向かうにしたがって下方に向かって延びる内側傾斜面部と、前記内側傾斜面部の外側に連続して水平面に沿って延びる水平面部と、前記水平面部の外側に連続して外側に向かうにしたがって下方に向かって延びる外側傾斜面部と、前記内側傾斜面部と前記水平面部との間に形成された内側屈曲部と、前記水平面部と前記外側傾斜面部との間に形成された外側屈曲部と、を有し、車幅方向の両側において、内側から外側に向かって延びる複数の内側ビードが少なくとも前記内側傾斜面部に形成されるとともに、前記外側屈曲部を横切るように複数の外側ビードが形成され、前記複数の内側ビードと前記複数の外側ビードとのうち少なくとも一部によって、当該内側ビードの延在方向に沿って互いに並ぶビード対が形成されていることを特徴とする。
【発明の効果】
【０００８】
本発明のフードインナパネルによれば、容易に製造することができるとともに変形しやすくすることができる。
【図面の簡単な説明】
【０００９】
【図１】本発明の実施例に係るフードインナパネルを有するフロントフードが設けられた車両を示す斜視図である。
【図２】前記フロントフードを示す斜視図である。
【図３】図２のＡ−Ａ線に沿う断面図である。
【図４】前記フードインナパネルを示す斜視図である。
【図５】前記フードインナパネルを示す平面図である。
【図６】前記フードインナパネルの要部を拡大して示す斜視図である。
【図７】前記フードインナパネルの要部を拡大して示す斜視図である。
【図８】前記フードインナパネルの内側傾斜面部の端面を示す模式図である。
【図９】前記フードインナパネルの要部を拡大して示す斜視図である。
【図１０】前記フードインナパネルの要部を拡大して示す斜視図である。
【発明を実施するための形態】
【００１０】
請求項１に記載された発明は、中央部に形成された開口部と、開口部から外側に向かうにしたがって下方に向かって延びる内側傾斜面部と、内側傾斜面部の外側に連続して水平面に沿って延びる水平面部と、水平面部の外側に連続して外側に向かうにしたがって下方に向かって延びる外側傾斜面部と、内側傾斜面部と前記水平面部との間に形成された内側屈曲部と、水平面部と外側傾斜面部との間に形成された外側屈曲部と、を有し、車幅方向の両側において、内側から外側に向かって放射状に延びる複数の内側ビードが少なくとも内側傾斜面部に形成されるとともに、外側屈曲部を横切るように複数の外側ビードが形成され、複数の内側ビードと複数の外側ビードとのうちそれぞれ少なくとも一部の組み合わせによって、内側ビードの延在方向に沿って互いに並ぶビード対が形成されている。これにより、ビード対を構成する内側ビード及び外側ビードが同時に変形しやすく、フードインナパネルを変形させやすくすることができる。このとき、フードインナパネルを変形容易とするために、ビードを形成するための加工を施すだけでよく、ビードの数の増加も抑制することができることから、容易に製造することができる。
【実施例】
【００１１】
以下、本発明の実施例を図面に基づいて説明する。本実施例のフードインナパネル１は、図１〜４に示すように、車両１００のフロントフード１０を構成するものであって、中央部に形成された開口部２と、開口部２から外側に向かうにしたがって下方に向かって延びる内側傾斜面部３と、内側傾斜面部３の外側に連続して水平面に沿って延びる水平面部４と、水平面部４の外側に連続して外側に向かうにしたがって下方に向かって延びる外側傾斜面部５と、内側傾斜面部３と水平面部４との間に形成された内側屈曲部６と、水平面部４と外側傾斜面部５との間に形成された外側屈曲部７と、を有する。フードインナパネル１は、車幅方向の両側において、内側から外側に向かって放射状に延びる複数の内側ビード８１が少なくとも内側傾斜面部３に形成されるとともに、外側屈曲部７を横切るように複数の外側ビード８２が形成され、複数の内側ビード８１と複数の外側ビード８２とのうちそれぞれ少なくとも一部の組み合わせによって、内側ビード８１の延在方向に沿って互いに並ぶビード対８０が形成されている。
【００１２】
本実施例において、車幅方向をＸ方向とし、車両１００の進行方向をＹ方向とし、上下方向をＺ方向とする。即ち、ＸＹ平面が水平面となる。また、図４は、フードインナパネル１を下方側から見た斜視図である。
【００１３】
フードインナパネル１は、全体が長方形状に形成される。具体的には、一対の長辺が前方に向かって凸となるように、長方形から変形した形状となっている。また、フードインナパネル１は、フードアウタ２０の内側（下方側）に配置され、ＸＹ平面に対して前方側が後方側よりも低くなるように多少傾斜して設けられてもよい。
【００１４】
開口部２は、フードインナパネル１全体の略中央に形成され、Ｘ方向を長径とするオーバル形状に対して歪んだ形状を有している。尚、オーバル形状とは、楕円形状及び角丸長方形を含むものであって、本実施例では角丸長方形であるものとする。即ち、開口部２は、Ｘ方向に沿って延びる一対の直線部２１とＸ方向の両端の半円部２２とを有する。さらに、半円部２２がＹ方向後方側に向かって凸となることで、Ｙ方向後方側の直線部２１のうち半円部２２に隣り合う位置には、内側に向かって凸の凸縁部２１１が形成され、開口部２全体がオーバル形状に対して歪んでいる。また、半円部２２の曲率半径は一定でなく、後方側に凸となった頂点部２２１において、他の位置よりも曲率半径が小さくなっている。
【００１５】
内側傾斜面部３は、その内周縁によって開口部２を囲むとともに、外側に向かうにしたがってフードアウタ２０から離れるように延びる。内側傾斜面部３のうち開口部２の半円部２２の外側には、図５〜７にも示すように、Ｘ方向の両側にそれぞれ３つずつの内側ビード８１（後方側から順に８１Ａ、８１Ｂ、８１Ｃ）が形成されている。３つの内側ビード８１Ａ〜８１Ｃは、半円部２２の略中心から外側に向かって放射状に延びており、開口部２まで延びている。
【００１６】
即ち、後方の内側ビード８１Ａは、Ｘ方向に対してＹ方向後方側にやや傾斜した方向を延在方向とし、中央の内側ビード８１Ｂは、Ｘ方向に対してＹ方向前方側にやや傾斜した方向を延在方向とし、前方の内側ビード８１Ｃは、Ｘ方向に対して内側ビード８１ＢよりもさらにＹ方向前方側に傾斜した方向を延在方向としている。さらに、後方の内側ビード８１Ａの延長線上には、頂点部２２１が位置している。また、内側ビード８１Ａ〜８１Ｃは、下方に向かって凸に形成されている。また、後方の内側ビード８１Ａは、頂点部２２１から外側に向かって延びており、即ち、頂点部２２１が内側ビード８１Ａの延長線上に位置している。
【００１７】
また、内側傾斜面部３の内周縁には、内側ビード８１を挟む位置（両側）に、図８に模式的に示すように、内側ビード８１と同一方向に凸（即ち下方に向かって凸）となるように傾斜した縁傾斜部３１が形成されている。尚、図８は、開口部２側から内側傾斜面部３の内周縁（端面）を見た様子を示している。
【００１８】
内側傾斜面部３には、多角形状（本実施例では正方形状）の孔部３２が形成されている。孔部３２は、フードインナパネル１を貫通するように形成されている。また、複数の孔部３２が、Ｙ方向前方側においてＸ方向に並設されている。尚、孔部は、正方形状のものに限定されず、多角形状（即ち、円形状やオーバル形状以外の形状）のものであればよい。
【００１９】
水平面部４は、内側傾斜面部３の外側に連続し、内側傾斜面部３を囲むようにＸＹ平面に沿って延びる。尚、フロントフード１０全体がＸＹ平面に対して多少傾斜して設けられる場合には、水平面部４もフロントフード１０全体に合わせてＸＹ平面に対して多少傾斜を有していてもよい。
【００２０】
外側傾斜面部５は、水平面部４の外側に連続し、水平面部４を囲むように、外側に向かうにしたがってフードアウタ２０から離れるように延びる。
【００２１】
水平面部４と外側傾斜面部５との間の外側屈曲部７には、開口部２の半円部２２の外側において、Ｘ方向の両側にそれぞれ４つずつ外側ビード８２（後方側から順に８２Ａ、８２Ｂ、８２Ｃ、８２Ｄ）が形成されている。外側ビード８２Ａ〜８２Ｄは、図９、１０にも示すように、外側屈曲部７を横切る（略直交する）ように形成されており、その一端が水平面部４に位置するとともに他端が外側傾斜面部５に位置している。また、外側ビード８２Ａ〜８２Ｄは、下方に向かって凸に形成されている。
【００２２】
以上のような３つの内側ビード８１Ａ〜８１Ｃと、４つの外側ビード８２Ａ〜８２Ｄと、のうち、内側ビード８１Ａと外側ビード８２Ａとが、内側ビード８１Ａの延在方向に沿って互いに並び、これらの組み合わせによってビード対８０が形成される。同様に、内側ビード８１Ｂと外側ビード８２Ｄとが内側ビード８１Ｂの延在方向に沿って互いに並び、これらの組み合わせによってビード対８０が形成される。尚、ビード対８０を構成する外側ビード８２は、内側ビード８１の延在方向に対して多少ずれた位置に形成されていてもよい。また、ビード対８０を構成する内側ビード８１Ａ及び外側ビード８２Ａ、並びに、内側ビード８１Ｂ及び外側ビード８２Ｄは、長方形状のフードインナパネル１の四隅のそれぞれに配置されている。尚、このような四隅以外にもビード対を設けてもよい。
【００２３】
このような本実施例によれば、以下のような効果がある。即ち、内側傾斜面部３に形成された内側ビード８１と、外側屈曲部７に形成された外側ビード８２と、が内側ビード８１の延在方向に沿って互いに並ぶビード対８０を形成していることで、フロントフード１０に衝撃が加わった際に、ビード対８０を構成する内側ビード８１及び外側ビード８２が同時に変形しやすく、フードインナパネル１を変形させやすくすることができる。このとき、フードインナパネル１を変形容易とするために、ビードを形成するための加工を施すだけでよく、ビードの数の増加も抑制することができることから、容易に製造することができる。
【００２４】
また、内側ビード８１が開口部２まで延びていることから、衝撃が加わった際に、内側ビード８１が開口部２側から容易に変形することができる。さらに、内側傾斜面部３の内周縁における内側ビード８１の両側に、内側ビード８１と同一方向に凸となるように傾斜した縁傾斜部３１が形成されていることで、縁傾斜部３１の変形を内側ビード８１の変形の切っ掛けとすることができる。
【００２５】
また、開口部２がＸ方向を長径とするオーバル形状に対して歪んだ形状を有していることで、開口部がオーバル形状又は円形である構成と比較して、フードインナパネル１の剛性を低下させ、変形しやすくすることができる。
【００２６】
また、開口部２の半円部２２が他の位置よりも曲率半径の小さい頂点部２２１を有することで、衝撃が加わった際にフードインナパネル１が頂点部２２１において変形容易となる。即ち、内側傾斜面部３の内周縁における頂点部２２１の両側同士が互いに近づくように、フードインナパネル１が変形容易となる。
【００２７】
また、このような頂点部２２１が内側ビード８１Ａの延長線上に位置していることで、内側ビード８１Ａがさらに変形容易となる。さらに、この内側ビード８１Ａは外側ビード８２Ａとともにビード対８０を形成するものであって、頂点部２２１と内側ビード８１Ａと外側ビード８２Ａとが一直線上に沿って並び、これらは容易に変形することができる。
【００２８】
また、内側傾斜面部３に多角形状の孔部３２が形成されていることで、孔部３２の角を支点として内側傾斜面部３を変形させやすくすることができる。これにより、フードインナパネル１全体を変形させやすくし、上記のようにビード対８０を構成する内側ビード８１及び外側ビード８２が変形することの妨げとなりにくい。
【００２９】
なお、本発明は、前記実施例に限定されるものではなく、本発明の目的が達成できる他の構成等を含み、以下に示すような変形等も本発明に含まれる。
【００３０】
例えば、前記実施例では、内側ビード８１が内側傾斜面部３に形成されているものとしたが、内側ビードは、少なくとも内側傾斜面部３に形成されていればよく、内側傾斜面部３だけでなく内側屈曲部６や水平面部４にまで亘って形成されていてもよい。
【００３１】
また、前記実施例では、３つの内側ビード８１と４つの外側ビード８２とのうち２つずつのそれぞれの組み合わせによってビード対８０が形成されるものとしたが、少なくとも１つのビード対が形成されていればよく、例えば、１つずつの内側ビードと外側ビードとの組み合わせによってビード対が形成されてもよいし、同数の内側ビードと外側ビードとが設けられるとともに、全ての内側ビードと外側ビードとの組み合わせによってビード対が形成されてもよい。
【００３２】
また、前記実施例では、内側ビード８１が開口部２まで延びるとともに内側傾斜面部３の内周縁に縁傾斜部３１が形成されているものとしたが、内側ビードが充分に変形容易な場合には、内側ビードは開口部２まで延びていなくてもよく、内側傾斜面部３に縁傾斜部３１が形成されていなくてもよい。また、内側ビードと同一方向に凸となるように傾斜した縁傾斜部３１を形成することに代えて、例えば内側傾斜面部３の内周縁における内側ビードの近傍を肉薄に形成することによって内側ビードの変形の切っ掛けとしてもよい。
【００３３】
また、前記実施例では、開口部２の半円部２２が他の位置よりも曲率半径の小さい頂点部２２１を有するものとしたが、例えば半円部２２全体の曲率半径が充分に小さくフードインナパネル１が変形しやすい場合には、頂点部２２１は形成されていなくてもよい。
【００３４】
また、前記実施例では、内側ビード８２Ａの延長線上に頂点部２２１が位置するものとしたが、内側ビードの延長線に対して頂点部がずれて配置されていてもよい。このような構成によれば、フードインナパネル１における変形容易な部位を増やすことができる。
【００３５】
また、前記実施例では、開口部２が内側に向かって凸の凸縁部２１１を有するものとしたが、フードインナパネル１が充分に変形しやすい場合には、開口部は凸縁部を有していない（オーバル形状に対して歪んでいない）形状であってもよい。
【００３６】
また、前記実施例では、内側傾斜面部３に多角形状の孔部３２が形成されているものとしたが、内側傾斜面部３が充分に変形しやすい場合には、孔部は形成されなくてもよい。
【００３７】
その他、本発明を実施するための最良の構成、方法などは、以上の記載で開示されているが、本発明は、これに限定されるものではない。すなわち、本発明は、主に特定の実施例に関して特に図示され、且つ、説明されているが、本発明の技術的思想および目的の範囲から逸脱することなく、以上述べた実施例に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３８】
１００      車両
１０        フロントフード
１          フードインナパネル
２          開口部
２１１      凸縁部
２２１      頂点部
３          内側傾斜面部
３１        縁傾斜部
３２        孔部
４          水平面部
５          外側傾斜面部
６          内側屈曲部
７          外側屈曲部
８１        内側ビード
８２        外側ビード
８０        ビード対
【図１】
2018030484.tif 000003
【図２】
2018030484.tif 000004
【図３】
2018030484.tif 000005
【図４】
2018030484.tif 000006
【図５】
2018030484.tif 000007
【図６】
2018030484.tif 000008
【図７】
2018030484.tif 000009
【図８】
2018030484.tif 000010
【図９】
2018030484.tif 000011
【図１０】
2018030484.tif 000012